【手続補正書】
【提出日】令和2年7月3日(2020.7.3)
【手続補正１】
【補正対象書類名】特許請求の範囲
【補正対象項目名】全文
【補正方法】変更
【補正の内容】
【特許請求の範囲】
【請求項１】
サーバと情報の通信を行うユーザの端末によって実行されるプログラムであって、
前記ユーザの情報を含む第１情報を前記端末の通信部によって前記サーバに送信することと、
前記第１情報に基づく、前記ユーザと取引を行う候補である、少なくとも１つ以上の候補企業に関する情報と、前記少なくとも１つ以上の候補企業に対する評価に関する評価情報と、前記第１情報に基づく、前記少なくとも１つ以上の候補企業によって送信された第１金額の情報とを前記通信部によって前記サーバから受信することと、
前記評価情報に基づく、前記少なくとも１つ以上の候補企業に関する情報と、前記第１金額の情報に基づく第１表示とを前記端末の表示領域に表示することと、
前記表示領域に表示された、前記少なくとも１つ以上の候補企業に関する情報のうち、前記ユーザによって選択された企業に対して、前記第１情報とは異なり、前記ユーザの情報を含む第２情報を前記通信部によって前記サーバに送信することと、
前記第２情報に基づく、前記ユーザによって前記選択された企業によって送信された第２金額の情報を前記通信部によって前記サーバから受信することと、
前記第２金額の情報に基づく第２表示を前記表示領域に表示することとが前記端末によって実行される。
【請求項２】
請求項１に記載のプログラムであって、
前記少なくとも１つ以上の候補企業は、複数の候補企業であり、
前記評価情報は、前記複数の候補企業各々の評価情報を含み、
前記第１金額の情報は、前記複数の候補企業各々によって送信された金額の情報を含む。
【請求項３】
請求項１または請求項２に記載のプログラムであって、
前記少なくとも１つ以上の候補企業に関する情報は、前記評価情報に基づく表示態様で前記表示領域に表示される。
【請求項４】
請求項３に記載のプログラムであって、
前記少なくとも１つ以上の候補企業は、前記評価情報に基づく順序で前記表示領域に表示される。
【請求項５】
請求項３または請求項４に記載のプログラムであって、
前記少なくとも１つ以上の候補企業は、第１候補企業と第２候補企業とを含み、
前記評価情報に基づき、前記第１候補企業より評価が低い前記第２候補企業を前記表示領域に表示しないことが前記端末によって実行される。
【請求項６】
請求項３から請求項５のいずれか一項に記載のプログラムであって、
前記評価情報に基づき、前記少なくとも１つ以上の候補企業に対する評価を前記表示領域に表示することが前記端末によって実行される。
【請求項７】
請求項２に記載のプログラムであって、
前記ユーザによって前記選択された前記企業に対する、前記ユーザの評価情報を前記通信部によって前記サーバに送信することが前記端末によって実行される。
【請求項８】
請求項１から請求項７のいずれか一項に記載のプログラムであって、
前記少なくとも１つ以上の候補企業の担当者に関する情報を前記通信部によって前記サーバから受信することが前記端末によって実行される。
【請求項９】
請求項８に記載のプログラムであって、
前記担当者の評価情報を前記通信部によって前記サーバから受信することが前記端末によって実行される。
【請求項１０】
請求項１から請求項９のいずれか一項に記載のプログラムであって、
前記ユーザの嗜好に関する情報に基づいて、前記少なくとも１つ以上の候補企業のうち、前記ユーザにおすすめする企業の情報を前記通信部によって前記サーバから受信することが前記端末によって実行される。
【請求項１１】
請求項１から請求項１０のいずれか一項に記載のプログラムであって、
前記少なくとも１つ以上の候補企業に対する前記取引に関する情報を前記通信部によって前記サーバに送信することが前記端末によって実行される。
【請求項１２】
請求項１１に記載のプログラムであって、
前記取引に関する情報は、コンテンツを含む。
【請求項１３】
請求項１１または請求項１２に記載のプログラムであって、
前記取引に関する情報は、前記少なくとも１つ以上の候補企業と前記取引を行うための画像情報を含む。
【請求項１４】
請求項１から請求項１３のいずれか一項に記載のプログラムであって、
前記少なくとも１つ以上の候補企業のうちの少なくともいずれか一つに対する前記ユーザの評価を前記通信部によって前記サーバに送信することが前記端末によって実行される。
【請求項１５】
請求項１から請求項１４のいずれか一項に記載のプログラムであって、
前記少なくとも１つ以上の候補企業は、複数の候補企業であり、
前記複数の候補企業各々に関する情報を前記表示領域に表示することが前記端末によって実行され、
前記表示領域に表示された前記複数の候補企業のうち、前記ユーザによって前記選択された企業以外は、前記ユーザによる前記選択に基づいて、前記ユーザの前記端末との前記取引に関する情報の通信ができない状態になる。
【請求項１６】
請求項１５に記載のプログラムであって、
前記取引を行う情報は、メッセージに関する情報であり、
前記取引に関する情報は、前記メッセージにより、前記ユーザの前記端末と各々の前記複数の企業とで通信を行う。
【請求項１７】
請求項１５または請求項１６に記載のプログラムであって、
前記端末ごとに変更可能な、前記複数の候補企業に関する情報を前記表示領域に表示することが前記端末によって実行される。
【請求項１８】
請求項１から請求項１７のいずれか一項に記載のプログラムであって、
前記第２情報は、前記第１情報よりも詳細な前記ユーザの情報を含む。
【請求項１９】
請求項１から請求項１８のいずれか一項に記載のプログラムであって、
前記第２情報は、前記ユーザの氏名、前記ユーザの郵便番号、前記ユーザの住所、前記ユーザのメールアドレスおよび前記ユーザの電話番号のいずれか一つを含む。
【請求項２０】
サーバと情報の通信を行うユーザの端末の情報処理方法であって、
前記ユーザの情報を含む第１情報を前記端末の通信部によって前記サーバに送信することと、
前記第１情報に基づく、前記ユーザと取引を行う候補である、少なくとも１つ以上の候補企業に関する情報と、前記少なくとも１つ以上の候補企業に対する評価に関する評価情報と、前記第１情報に基づく、前記少なくとも１つ以上の候補企業によって送信された第１金額の情報とを前記通信部によって前記サーバから受信することと、
前記評価情報に基づく、前記少なくとも１つ以上の候補企業に関する情報と、前記第１金額の情報に基づく第１表示とを前記端末の表示領域に表示することと、
前記表示領域に表示された、前記少なくとも１つ以上の候補企業に関する情報のうち、前記ユーザによって選択された企業に対して、前記第１情報とは異なり、前記ユーザの情報を含む第２情報を前記通信部によって前記サーバに送信することと、
前記第２情報に基づく、前記ユーザによって前記選択された企業によって送信された第２金額の情報を前記通信部によって前記サーバから受信することと、
前記第２金額の情報に基づく第２表示を前記表示領域に表示することとを含む。
【請求項２１】
サーバと情報の通信を行うユーザの端末であって、
前記ユーザの情報を含む第１情報を前記サーバに送信し、前記第１情報に基づく、前記ユーザと取引を行う候補である、少なくとも１つ以上の候補企業に関する情報と、前記少なくとも１つ以上の候補企業に対する評価に関する評価情報と、前記第１情報に基づく、前記少なくとも１つ以上の候補企業によって送信された第１金額の情報とを受信する通信部と、
前記評価情報に基づく、前記少なくとも１つ以上の候補企業に関する情報と、前記第１金額の情報に基づく第１表示とを表示する表示部とを備え、
前記通信部は、前記表示部に表示された、前記少なくとも１つ以上の候補企業に関する情報のうち、前記ユーザによって前記選択された企業に対して、前記第１情報とは異なり、前記ユーザの情報を含む第２情報を前記サーバに送信し、前記第２情報に基づく、前記ユーザによって選択された企業によって送信された第２金額の情報を前記サーバから受信し、
前記表示部は、前記第２金額の情報に基づく第２表示を表示する。
【請求項２２】
ユーザの端末と情報の通信を行うサーバによって実行されるプログラムであって、
前記ユーザの情報を含む第１情報を前記サーバの通信部によって前記端末から受信することと、
前記第１情報に基づいて、前記ユーザと取引を行う候補である、少なくとも１つ以上の候補企業に関する情報と、前記少なくとも１つ以上の候補企業に対する評価に関する評価情報と、前記第１情報に基づいて、前記少なくとも１つ以上の候補企業によって送信された第１金額の情報とを前記通信部によって前記端末に送信することと、
前記端末の表示領域に表示された、前記少なくとも１つ以上の候補企業に関する情報のうち、前記ユーザによって選択された企業に対して、前記第１情報とは異なり、前記ユーザの情報を含む第２情報を前記通信部によって前記端末から受信することと、
前記第２情報に基づく、前記ユーザによって前記選択された企業によって送信された第２金額の情報を前記通信部によって前記端末に送信することとが前記サーバによって実行される。
【請求項２３】
請求項２２に記載のプログラムであって、
前記少なくとも１つ以上の候補企業は、複数の候補企業であり、
前記評価情報は、前記複数の候補企業各々の評価情報を含み、
前記第１金額の情報は、前記複数の候補企業各々によって送信された金額の情報を含む。
【請求項２４】
請求項２２または請求項２３に記載のプログラムであって、
前記評価情報は、前記少なくとも１つ以上の候補企業に関する情報を前記端末の表示領域に表示するための情報を含む。
【請求項２５】
請求項２４に記載のプログラムであって、
前記評価情報は、前記少なくとも１つ以上の候補企業を前記表示領域に表示する順序に関する情報を含む。
【請求項２６】
請求項２４または請求項２５に記載のプログラムであって、
前記評価情報は、前記評価情報に基づき、前記少なくとも１つ以上の候補企業のうち、前記表示領域に表示しないための情報を含む。
【請求項２７】
請求項２４から請求項２６のいずれか一項に記載のプログラムであって、
前記評価情報は、前記少なくとも１つ以上の候補企業に対する評価を示す情報を含む。
【請求項２８】
請求項２３に記載のプログラムであって、
前記ユーザによって前記選択された企業に対する、前記ユーザの評価情報を前記通信部によって前記端末から受信することが前記サーバによって実行される。
【請求項２９】
請求項２２から請求項２８のいずれか一項に記載のプログラムであって、
前記少なくとも１つ以上の候補企業の担当者に関する情報を前記通信部によって前記端末に送信することが前記サーバによって実行される。
【請求項３０】
請求項２９に記載のプログラムであって、
前記担当者の評価情報を前記通信部によって前記端末に送信することが前記サーバによって実行される。
【請求項３１】
請求項２２から請求項３０のいずれか一項に記載のプログラムであって、
前記ユーザの嗜好に関する情報に基づいて、前記少なくとも１つ以上の候補企業のうち、前記ユーザにおすすめする企業の情報を前記通信部によって前記端末に送信することが前記サーバによって実行される。
【請求項３２】
請求項２２から請求項３１のいずれか一項に記載のプログラムであって、
前記少なくとも１つ以上の候補企業に対する前記取引に関する情報を前記通信部によって前記端末から受信することが前記サーバによって実行される。
【請求項３３】
請求項３２に記載のプログラムであって、
前記取引に関する情報は、コンテンツを含む。
【請求項３４】
請求項３２に記載のプログラムであって、
前記取引に関する情報は、前記少なくとも１つ以上の候補企業と前記取引を行うための画像情報を含む。
【請求項３５】
請求項２２から請求項３４のいずれか一項に記載のプログラムであって、
前記少なくとも１つ以上の候補企業のうちの少なくともいずれか一つに対する前記ユーザの評価を前記通信部によって前記端末から受信することが前記サーバによって実行される。
【請求項３６】
請求項２２から請求項３５のいずれか一項に記載のプログラムであって、
前記第２情報は、前記第１情報よりも詳細な前記ユーザの情報を含む。
【請求項３７】
請求項２２から請求項３６のいずれか一項に記載のプログラムであって、
前記第２情報は、前記ユーザの氏名、前記ユーザの郵便番号、前記ユーザの住所、前記ユーザのメールアドレスおよび前記ユーザの電話番号のいずれか一つを含む。
【請求項３８】
ユーザの端末と情報の通信を行うサーバの情報処理方法であって、
前記ユーザの情報を含む第１情報を前記サーバの通信部によって前記端末から受信することと、
前記第１情報に基づいて、前記ユーザと取引を行う候補である、少なくとも１つ以上の候補企業に関する情報と、前記少なくとも１つ以上の候補企業に対する評価に関する評価情報と、前記第１情報に基づいて、前記少なくとも１つ以上の候補企業によって送信された第１金額の情報とを前記通信部によって前記端末に送信することと、
前記端末の表示領域に表示された、前記少なくとも１つ以上の候補企業に関する情報のうち、前記ユーザによって選択された企業に対して、前記第１情報とは異なり、前記ユーザの情報を含む第２情報を前記通信部によって前記端末から受信することと、
前記第２情報に基づく、前記ユーザによって前記選択された企業によって送信された第２金額の情報を前記通信部によって前記端末に送信することとを含む。
【請求項３９】
ユーザの端末と情報の通信を行うサーバであって、
前記ユーザの情報を含む第１情報を前記端末から受信し、前記第１情報に基づいて、前記ユーザと取引を行う候補である、少なくとも１つ以上の候補企業に関する情報と、前記少なくとも１つ以上の候補企業に対する評価に関する評価情報と、前記第１情報に基づいて、前記少なくとも１つ以上の候補企業によって送信された第１金額の情報とを前記端末に送信し、前記端末の表示領域に表示された、前記少なくとも１つ以上の候補企業に関する情報のうち、前記ユーザによって前記選択された企業に対して、前記第１情報とは異なり、前記ユーザの情報を含む第２情報を受信し、前記第２情報に基づく、前記ユーザによって選択された企業によって送信された第２金額の情報を前記端末に送信する通信部を備える。
【手続補正２】
【補正対象書類名】明細書
【補正対象項目名】発明の名称
【補正方法】変更
【補正の内容】
【発明の名称】プログラム、情報処理方法、端末、サーバ
【手続補正３】
【補正対象書類名】明細書
【補正対象項目名】０００１
【補正方法】変更
【補正の内容】
【０００１】
本開示は、プログラム、情報処理方法、端末、サーバに関する。
【手続補正４】
【補正対象書類名】明細書
【補正対象項目名】０００４
【補正方法】変更
【補正の内容】
【０００４】
本発明の第１の態様によると、サーバと情報の通信を行うユーザの端末によって実行されるプログラムは、ユーザの情報を含む第１情報を端末の通信部によってサーバに送信することと、第１情報に基づく、ユーザと取引を行う候補である、少なくとも１つ以上の候補企業に関する情報と、少なくとも１つ以上の候補企業に対する評価に関する評価情報と、第１情報に基づく、少なくとも１つ以上の候補企業によって送信された第１金額の情報とを通信部によってサーバから受信することと、評価情報に基づく、少なくとも１つ以上の候補企業に関する情報と、第１金額の情報に基づく第１表示とを端末の表示領域に表示することと、表示領域に表示された、少なくとも１つ以上の候補企業に関する情報のうち、ユーザによって選択された企業に対して、第１情報とは異なり、ユーザの情報を含む第２情報を通信部によってサーバに送信することと、第２情報に基づく、ユーザによって選択された企業によって送信された第２金額の情報を通信部によってサーバから受信することと、第２金額の情報に基づく第２表示を表示領域に表示することとが端末によって実行される。
本発明の第２の態様によると、サーバと情報の通信を行うユーザの端末の情報処理方法は、ユーザの情報を含む第１情報を端末の通信部によってサーバに送信することと、第１情報に基づく、ユーザと取引を行う候補である、少なくとも１つ以上の候補企業に関する情報と、少なくとも１つ以上の候補企業に対する評価に関する評価情報と、第１情報に基づく、少なくとも１つ以上の候補企業によって送信された第１金額の情報とを通信部によってサーバから受信することと、評価情報に基づく、少なくとも１つ以上の候補企業に関する情報と、第１金額の情報に基づく第１表示とを端末の表示領域に表示することと、表示領域に表示された、少なくとも１つ以上の候補企業に関する情報のうち、ユーザによって選択された企業に対して、第１情報とは異なり、ユーザの情報を含む第２情報を通信部によってサーバに送信することと、第２情報に基づく、ユーザによって選択された企業によって送信された第２金額の情報を通信部によってサーバから受信することと、第２金額の情報に基づく第２表示を表示領域に表示することとを含む。
本発明の第３の態様によると、サーバと情報の通信を行うユーザの端末は、ユーザの情報を含む第１情報をサーバに送信し、第１情報に基づく、ユーザと取引を行う候補である、少なくとも１つ以上の候補企業に関する情報と、少なくとも１つ以上の候補企業に対する評価に関する評価情報と、第１情報に基づく、少なくとも１つ以上の候補企業によって送信された第１金額の情報とを受信する通信部と、評価情報に基づく、少なくとも１つ以上の候補企業に関する情報と、第１金額の情報に基づく第１表示とを表示する表示部とを備え、通信部は、表示部に表示された、少なくとも１つ以上の候補企業に関する情報のうち、ユーザによって選択された企業に対して、第１情報とは異なり、ユーザの情報を含む第２情報をサーバに送信し、第２情報に基づく、ユーザによって選択された企業によって送信された第２金額の情報をサーバから受信し、表示部は、第２金額の情報に基づく第２表示を表示する。
本発明の第４の態様によると、ユーザの端末と情報の通信を行うサーバによって実行されるプログラムは、ユーザの情報を含む第１情報をサーバの通信部によって端末から受信することと、第１情報に基づいて、ユーザと取引を行う候補である、少なくとも１つ以上の候補企業に関する情報と、少なくとも１つ以上の候補企業に対する評価に関する評価情報と、第１情報に基づいて、少なくとも１つ以上の候補企業によって送信された第１金額の情報とを通信部によって端末に送信することと、端末の表示領域に表示された、少なくとも１つ以上の候補企業に関する情報のうち、ユーザによって選択された企業に対して、第１情報とは異なり、ユーザの情報を含む第２情報を通信部によって端末から受信することと、第２情報に基づく、ユーザによって選択された企業によって送信された第２金額の情報を通信部によって端末に送信することとがサーバによって実行される。
本発明の第５の態様によると、ユーザの端末と情報の通信を行うサーバの情報処理方法は、ユーザの情報を含む第１情報をサーバの通信部によって端末から受信することと、第１情報に基づいて、ユーザと取引を行う候補である、少なくとも１つ以上の候補企業に関する情報と、少なくとも１つ以上の候補企業に対する評価に関する評価情報と、第１情報に基づいて、少なくとも１つ以上の候補企業によって送信された第１金額の情報とを通信部によって端末に送信することと、端末の表示領域に表示された、少なくとも１つ以上の候補企業に関する情報のうち、ユーザによって選択された企業に対して、第１情報とは異なり、ユーザの情報を含む第２情報を通信部によって端末から受信することと、第２情報に基づく、ユーザによって選択された企業によって送信された第２金額の情報を通信部によって端末に送信することとを含む。
本発明の第６の態様によると、ユーザの端末と情報の通信を行うサーバは、ユーザの情報を含む第１情報を端末から受信し、第１情報に基づいて、ユーザと取引を行う候補である、少なくとも１つ以上の候補企業に関する情報と、少なくとも１つ以上の候補企業に対する評価に関する評価情報と、第１情報に基づいて、少なくとも１つ以上の候補企業によって送信された第１金額の情報とを端末に送信し、端末の表示領域に表示された、少なくとも１つ以上の候補企業に関する情報のうち、ユーザによって選択された企業に対して、第１情報とは異なり、ユーザの情報を含む第２情報を受信し、第２情報に基づく、ユーザによって選択された企業によって送信された第２金額の情報を端末に送信する通信部を備える。